(57)【特許請求の範囲】
【請求項１】
光源部及び該光源部の発光を制御する制御部を備えた照明装置であって、
前記光源部は、白色光を出射する白色ＬＥＤを有する第１の光源ユニットと、青色光を出射する青色ＬＥＤ、緑色光を出射する緑色ＬＥＤ及び赤色光を出射する赤色ＬＥＤを有する第２の光源ユニットと、を有し、
前記第１の光源ユニット及び前記第２の光源ユニットは、互いに同じ色度を有する白色光を同じ領域に対して出射し、
前記制御部は、前記第１の光源ユニットと前記第２の光源ユニットとの合計出力を一定に保ちながら、前記第１の光源ユニットと前記第２の光源ユニットとの出力比を変化させることを特徴とする照明装置。
【請求項２】
前記青色光は、波長域４３０ｎｍ〜４７５ｎｍにピーク波長を有し、
前記緑色光は、波長域５２０ｎｍ〜５４０ｎｍにピーク波長を有し、
前記赤色光は、波長域６１０ｎｍ〜６７０ｎｍにピーク波長を有することを特徴とする請求項１に記載の照明装置。
【請求項３】
前記光源部は、複数設けられ、
前記制御部は、複数の前記光源部における前記出力比を個別に制御するための複数の操作部と、前記複数の操作部の各々と該操作部によって制御される前記光源部とを対応付けるマークと、を有することを特徴とする請求項１又は請求項２に記載の照明装置。
【請求項４】
前記制御部は、前記出力比を徐々に変化させることを特徴とする請求項１乃至請求項３のいずれか一項に記載の照明装置。
【請求項５】
商品を陳列するための陳列棚であって、
請求項１乃至請求項４のいずれか一項に記載された照明装置を備えたことを特徴とする陳列棚。
【請求項６】
前記陳列棚において前記光源部からの光が照射される範囲が、無彩色に彩られていることを特徴とする請求項５に記載の陳列棚。
【発明の詳細な説明】
【技術分野】
【０００１】
本発明は、ＬＥＤを光源とする照明装置及びその照明装置を備えた陳列棚に関する。
【背景技術】
【０００２】
ＬＥＤは、低電力で高輝度の発光が可能であり、しかも長寿命であることから、白熱灯や蛍光灯に代わる光源として注目されている。このようなＬＥＤを光源とする照明装置として、店舗等において陳列棚（ショーケース）に取り付けられ、陳列棚に陳列された商品を照明するものが知られている（例えば、特許文献１参照）。このような照明装置は、単に商品の視認性を確保するだけでなく、特定の商品を他の商品とは異なる様式で照明することで該特定商品の誘目性を高めたりする等、商品に演出効果を与えるのにも用いられる。
【先行技術文献】
【特許文献】
【０００３】
【特許文献１】特開２０１４−１８６９９８号公報
【発明の概要】
【発明が解決しようとする課題】
【０００４】
しかしながら、上述したような照明装置において誘目性を高めたい商品を変更したい場合には、商品の配置を変更する必要があり手間がかかる。特に、陳列棚が冷蔵ショーケースの場合には、冷蔵ショーケース内における商品の配置自由度が低く、また、冷蔵ショーケース自体の配置自由度も低いので、目的の配置が得られないことがある。
【０００５】
また、店舗等において営業時間内に商品の配置を変更したい場合もあるが、そのような配置変更は買い物客が居る中では難しいことがある。更に、点滅光や色光で照明することで特定商品の誘目性を高めようとすると、買い物客によってはそのような照明光の変化や商品の本来の色が損なわれることに違和感を感じることがある。
【０００６】
本発明は、上記課題を解決するものであって、商品の配置を変更しなくても特定商品の誘目性を高めることができ、しかも商品の本来の色を損なわない自然な光で商品を照明して買い物客に違和感を与え難い照明装置を提供することを目的とする。
【課題を解決するための手段】
【０００７】
本発明の照明装置は、光源部及び該光源部の発光を制御する制御部を備え、前記光源部は、白色光を出射する白色ＬＥＤを有する第１の光源ユニットと、青色光を出射する青色ＬＥＤ、緑色光を出射する緑色ＬＥＤ及び赤色光を出射する赤色ＬＥＤを有する第２の光源ユニットと、を有し、前記第１の光源ユニット及び前記第２の光源ユニットは、互いに同じ色度を有する白色光を同じ領域に対して出射し、前記制御部は、前記第１の光源ユニットと前記第２の光源ユニットとの合計出力を一定に保ちながら、前記第１の光源ユニットと前記第２の光源ユニットとの出力比を変化させることを特徴とする。
【０００８】
本発明の陳列棚は、上記照明装置を備えることを特徴とする。
【発明の効果】
【０００９】
本発明によれば、照明光の目立ち指数（ＦＣＩ）を変化させることができるので、特定商品を高ＦＣＩの光で照明することによって、商品の配置を変更しなくても特定商品の誘目性を高めることができる。また、照明光が白色光であり、且つその白色光の色度がＦＣＩを変化させても変わらないので、商品の本来の色を損なわない自然な光で商品を照明して買い物客に違和感を与え難くすることができる。
【図面の簡単な説明】
【００１０】
【図１】本発明の一実施形態に係る照明装置及びその照明装置を備えた陳列棚の斜視図。
【図２】上記照明装置の構成を示すブロック図。
【図３】上記照明装置を構成する光源部の平面図。
【図４】上記光源部から出射される光の分光スペクトルを示す図。
【図５】上記光源部から出射される光のｘｙ色度図。
【図６】上記光源部を構成する第１の光源ユニットと第２の光源ユニットとの出力比を変化させた場合に得られる出射光のＦＣＩを示す図。
【図７】上記第１の光源ユニットと第２の光源ユニットとの出力比を変化させた場合に得られる出射光のＲａを示す図。
【図８】（ａ）（ｂ）は、上記陳列棚において高ＦＣＩの光を出射する光源部を変化させた状態を示す斜視図。
【発明を実施するための形態】
【００１１】
本発明の一実施形態に係る照明装置について図面を参照して説明する。本照明装置は、例えば、店舗等に設置された陳列棚に取り付けられ、該陳列棚に陳列された商品を照明するものである。
【００１２】
図１に示すように、陳列棚Ｒは、例えば、垂直に立設された背板Ｒ１と、背板Ｒ１の一側から水平に伸びる天板Ｒ２と、背板Ｒ１から天板Ｒ２と同じ方向に伸びる棚板Ｒ３、Ｒ４と、背板Ｒ１から天板Ｒ２と同じ方向に設けられ土台となる底部Ｒ５と、を有する。照明装置１は、複数の光源部２と、これら光源部２の発光を制御する制御部３と、を備える。複数の光源部２は、図例では、天板Ｒ２の下面に設けられた光源部２１と、棚板Ｒ３の下面に設けられた光源部２２と、棚板Ｒ４の下面に設けられた光源部２３と、を有する。光源部２１、２２、２３は、それぞれ棚板Ｒ３の上面（以下、上段Ｒ６という）、棚板Ｒ４の上面（以下、中段Ｒ７という）及び底部Ｒ５の上面（以下、下段Ｒ８という）を照明する。これら光源部２１、２２、２３は、互いに同じものにより構成され、それぞれ陳列棚Ｒの全幅に亘って設けられた長尺な形状を有する。陳列棚Ｒにおいて光源部２１、２２、２３からの光が照射される範囲は、白色、灰色又は黒色といった無彩色に彩られている。
【００１３】
制御部３は、有線又は無線により複数の光源部２の各々と接続され、これら光源部２の発光を個別に制御するための複数の操作部４と、複数の操作部４の各々と該操作部４によって制御される光源部２とを対応付けるマーク５と、を有する（図２も参照）。図例では、操作部４は、光源部２１、２２、２３の発光を制御する操作部４１、４２、４３を有する。操作部４１、４２、４３の各々は、後述する照明光の目立ち指数（ＦＣＩ：Feeling of Contrast Index）を増減させるための押釦により構成されている。これら操作部４１、４２、４３には、それぞれ「上段」、「中段」、「下段」と記載されたマーク５１、５２、５３が設けられている（図１参照）。このようなマーク５１、５２、５３を設けることで、操作部４と該操作部４によって制御される光源部２との対応が分かり易くなって操作性が向上する。
【００１４】
図３に示すように、光源部２は、配線基板２４と、配線基板２４の一面に実装された複数の発光ユニット６と、を有する。これら発光ユニット６は、互いに等間隔を置いて直線状に配置され、第１の光源ユニット７と、第１の光源ユニット７とは異なる光を出射する第２の光源ユニット８と、をそれぞれ有する。各々の発光ユニット６において第１の光源ユニット７及び第２の光源ユニット８は、互いに同じ領域に対して光を出射する。
【００１５】
第１の光源ユニット７は、白色光を出射する白色ＬＥＤ７１を有する。白色ＬＥＤ７１は、青色光を出射する青色ＬＥＤと、この青色ＬＥＤからの青色光によって励起されて黄色光を出射する黄色蛍光体と、を有し、これら青色光及び黄色光を互いに混色させることで白色光を出射する。第２の光源ユニット８は、青色光を出射する青色ＬＥＤ８１と、緑色光を出射する緑色ＬＥＤ８２と、赤色光を出射する赤色ＬＥＤ８３と、を有し、これら青色光、緑色光及び赤色光を互いに混色させることで白色光を出射する。各々の発光ユニット６において白色ＬＥＤ７１、青色ＬＥＤ８１、緑色ＬＥＤ８２及び赤色ＬＥＤ８３は、２ｘ２のマトリクス状に配置されている。
【００１６】
図４に示すように、第１の光源ユニット７から出射される光（実線で示す）は、波長略４４０ｎｍにピーク波長を有する青色光と、波長略５６０ｎｍにピーク波長を有する黄色光と、を含む。第２の光源ユニット８から出射される光（破線で示す）は、波長域４３０ｎｍ〜４７５ｎｍにピーク波長を有する青色光と、波長域５２０ｎｍ〜５４０ｎｍにピーク波長を有する緑色光と、波長域６１０ｎｍ〜６７０ｎｍにピーク波長を有する赤色光と、を含む。
【００１７】
図５において、三角印は、第１の光源ユニット７から出射される白色光の色度を示す。一方、星印、丸印及び四角印は、それぞれ第２の光源ユニット８から出射される青色光、緑色光及び赤色光の色度を示す。これら第２の光源ユニット８からの青色光、緑色光及び赤色光は、互いに混色することによって三角印で示される色度を与える。すなわち、第１の光源ユニット７及び第２の光源ユニット８は、互いに同じ色度を有する白色光を出射するように構成されている。これにより、第１の光源ユニット７及び第２の光源ユニット８の各々から出射される白色光は、見た目では区別することができない。
【００１８】
互いに同じ色度を有し見た目では区別することができない白色光であっても、それらの光によって照明される照明対象の色の見え方は異なることがある。このような照明対象の色の見え方を表す指標の一つとして、下記の式（１）で定義される目立ち指数（ＦＣＩ）が知られている（例えば、新編色彩科学ハンドブック［第３版］日本色彩学会編を参照）。ここで、ＧＬａｂ（Ｔ）は、テスト光源における赤・青・緑・黄の４色配色サンプルのＬａｂ表色系での色域面積を表し、ＧＬａｂ（Ｄ６５）は、標準光源Ｄ６５における同表色系での色域面積を表す。ＦＣＩが１００よりも大きい光は、標準光源Ｄ６５からの光よりも照明対象を色鮮やかに照明し、その照明対象の「目立ち度」を高めることができる。例えば、ＦＣＩ１５０で照度１０００ｌｘの光は、ＦＣＩ１００で照度１５００ｌｘの光と同等の「目立ち度」を与える。
【数１】
0006489476.tif 000002
【００１９】
制御部３は、第１の光源ユニット７と第２の光源ユニット８との合計出力を一定に保ちながら、第１の光源ユニット７と第２の光源ユニット８との出力比を制御する。図６に示すように、第１の光源ユニット７を全点灯（１００％出力）して第２の光源ユニット８を消灯（０％出力）したとき、出射光（すなわち、第１の光源ユニット７のみから出射された光）のＦＣＩは、略１００となるように構成されている。一方、第１の光源ユニット７を消灯（０％出力）して第２の光源ユニット８を全点灯（１００％出力）したとき、出射光（すなわち、第２の光源ユニット８のみから出射された光）のＦＣＩは、略１７２となるように構成されている。すなわち、第２の光源ユニット８は、第１の光源ユニット７に比べて高いＦＣＩを有する光を出射し、第１の光源ユニット７と第２の光源ユニット８との出力比を制御することで、ＦＣＩを略１００〜略１７２の範囲で変化させることができる。
【００２０】
図７に示すように、上記のようにして第１の光源ユニット７と第２の光源ユニット８との出力比を制御した場合、出射光の平均演色評価数Ｒａは、略４８〜略９２の範囲で変化する。第１の光源ユニット７を全点灯（１００％出力）して第２の光源ユニット８を消灯（０％出力）したとき、出射光の平均演色評価数Ｒａは略８５であった。この状態から第２の光源ユニット８の出力を徐々に増大させると平均演色評価数Ｒａは次第に上昇し、第１の光源ユニット７を略８０％出力として第２の光源ユニット８を略２０％出力としたときに、平均演色評価数Ｒａは最大となる略９２となった。そして、この状態から第２の光源ユニット８の出力を更に増大させると、平均演色評価数Ｒａは徐々に低下し始め、第１の光源ユニット７を消灯（０％出力）して第２の光源ユニット８を全点灯（１００％出力）したときには略４８となった。
【００２１】
平均演色評価数Ｒａは、照明対象の色の見え方を表す指標であって、照明光として用いるには８０以上であることが好ましい。そこで、８０以上の平均演色評価数Ｒａを得るために、第１の光源ユニット７を１００％出力〜５０％出力とし、第２の光源ユニット８を０％出力〜５０％出力とすることが好ましい。このように第１の光源ユニット７と第２の光源ユニット８との出力比を制御した場合、出射光のＦＣＩは、略１００〜略１４０の範囲で変化することになる（図６参照）。
【００２２】
図８（ａ）は、光源部２１から高ＦＣＩの光（点線で示す）が出射され、光源部２２、２３から低ＦＣＩの光が出射されている状態を示している。このとき、陳列棚Ｒの上段Ｒ６に置かれた商品は、中段Ｒ７及び下段Ｒ８に置かれた商品に比べて、青色、緑色及び赤色のコントラストが強調されて目立って見える。この状態から中段Ｒ７に置かれた商品を目立たせる状態に移行したい場合には、制御部３（不図示）を操作することによって、図８（ｂ）に示すように、光源部２２から高ＦＣＩの光が出射され、光源部２１、２３から低ＦＣＩの光が出射されるようにする。このとき、制御部３は、光源部２１、２２において第１の光源ユニット７（不図示）と第２の光源ユニット８（不図示）との出力比を徐々に、例えば、１分間かけてゆっくりと変化させる。このようにすることで、上段Ｒ６及び中段Ｒ７に置かれた商品の「目立ち度」が徐々に変化するので、商品を見ている買い物客が違和感を感じ難くなる。また、上記のように商品の「目立ち度」を変化させたとしても、陳列棚Ｒにおいて光源部２１、２２、２３からの光が照射される範囲が無彩色に彩られているので、陳列棚Ｒ自体の色の見え方は変化しない。
【００２３】
上記のように、照明装置１によれば第１の光源ユニット７と第２の光源ユニット８との出力比を制御することによって、照明光の目立ち指数（ＦＣＩ）を変化させることができる。これにより、光源部２１、２２、２３の点灯状態を切り替えて特定商品を高ＦＣＩの光で照明することによって、商品の配置を変更しなくても特定商品の誘目性を高めることができる。また、照明光が白色光であり、且つその白色光の色度がＦＣＩを変化させても変わらないので、商品の本来の色を損なわず、しかも買い物客からは照明光が変化していることが分からない自然な光で商品を照明して買い物客に違和感を与え難くすることができる。
【００２４】
なお、本発明に係る照明装置及びその照明装置を備えた陳列棚は、上記実施形態に限定されず種々の変形が可能である。例えば、第２の光源ユニットから出射される白色光は、第１の光源ユニットから出射される白色光と同じ色度を有し、且つ第１の光源ユニットから出射される白色光よりも高いＦＣＩを有していれば、必ずしも図４に示したスペクトルを有する必要は無い。また、図例では、複数段から成る陳列棚の各段にそれぞれ光源部が配置されているが、一段から成る陳列棚に複数の光源部が互いに縦列して配置されていてもよい。また、光源部は、長尺な形状を有するものに限定されず、例えば、スポットライト状に形成されていてもよい。更に、制御部は、必ずしも光源部と別体である必要は無く、光源部と一体に構成されていてもよい。
【符号の説明】
【００２５】
１  照明装置
２、２１、２２、２３  光源部
３  制御部
４、４１、４２、４３  操作部
５、５１、５２、５３  マーク
７  第１の光源ユニット
７１  白色ＬＥＤ
８  第２の光源ユニット
８１  青色ＬＥＤ
８２  緑色ＬＥＤ
８３  赤色ＬＥＤ
Ｒ  陳列棚
【図１】
0006489476.tif 000003
【図２】
0006489476.tif 000004
【図３】
0006489476.tif 000005
【図４】
0006489476.tif 000006
【図５】
0006489476.tif 000007
【図６】
0006489476.tif 000008
【図７】
0006489476.tif 000009
【図８】
0006489476.tif 000010